(57)【要約】【課題】オス端子とメス端子の接続状態において、タブがメス端子のタブ受入部の中で傾いてタブ受入部の内面に片当たりするようになった場合にも、オス端子とメス端子の接触導通性の低下を抑えること。【解決手段】  タブ１３１の幅方向の両端部には、タブ受入部６１にタブ１３１を差し込んだ際に該タブ受入部６１に弾性接触する二つの接触バネ片１３５が設けられ、タブ受入部６１にタブ１３１を差し込んだ際に、二つの突起６６が二つの接触バネ片１３５の間に位置する。【選択図】図１
2010140874.tif 000002
【特許請求の範囲】
【請求項１】
メス端子が有する角筒状のタブ受入部に差し込み可能な帯板状のタブが一端部に連設される電線接続部の他端部に、電線の端末部を接続するためのオス端子の構造であって、
前記タブ受入部には、該タブ受入部に前記タブが差し込まれた際に該タブの板面に対向する一対の幅広壁のうちの一方の幅広壁の内面に、該一方の幅広壁の幅方向に間隔をあけて形成された二つの突起と、他方の幅広壁の内面に、差し込まれた前記タブを前記突起に向けて押圧するための板バネと、が設けられ、
前記タブの幅方向の両端部には、前記タブ受入部に前記タブを差し込んだ際に該タブ受入部に弾性接触する二つの接触バネ片が設けられ、前記タブ受入部に前記タブを差し込んだ際に、前記二つの突起が前記二つの接触バネ片の間に位置する、
ことを特徴とするオス端子の構造。
【請求項２】
前記接触バネ片の弾性は、前記板バネの弾性よりも弱い、
ことを特徴とする請求項１に記載のオス端子の構造。
【発明の詳細な説明】
【技術分野】
【０００１】
本発明は、メス端子が有する角筒状のタブ受入部にタブを差し込み可能なオス端子の構造に関するものである。
【背景技術】
【０００２】
タブ型のオス端子を使用したコネクタの例として、例えば、特許文献１に記載のものが知られている。この種のタブ型のオス端子は、一般に、先端に帯板状のタブを有すると共に、基端に、電線の端末部を該端末部の延長線上にタブが位置するように接続する電線接続部を有している。また、この種のタブ型のオス端子と接続されるメス端子の中には、先端にオス端子のタブが差し込まれる角筒状のタブ受入部を有したものがある。
【特許文献１】特開２００６−９２７７９号公報（図３）
【発明の開示】
【発明が解決しようとする課題】
【０００３】
ところで、通常の車載ケーブルには撚線が使用されることが多いが、大電流を流すような太物の撚線を、前述したタブ型のオス端子の電線接続部に接続した場合、撚線が、導線を撚り合わせた芯線を導体として備えている性質上、芯線の戻り癖により、タブに捻転力が作用することがある。特に撚線を端末近くで屈曲させた場合、芯線に撚りを戻す方向の捻転力が発生することがあるため、その力がオス端子のタブに及ぶことがある。この捻転力が大きい場合、オス端子とメス端子の接続状態において、タブがメス端子のタブ受入部の中で傾いて、タブ受入部の内面に片当たりするようになり、オス端子とメス端子の接触導通性が落ちるという問題がある。
【０００４】
本発明は、上述した事情に鑑みてなされたものであり、その目的は、オス端子とメス端子の接続状態において、タブがメス端子のタブ受入部の中で傾いてタブ受入部の内面に片当たりするようになった場合にも、オス端子とメス端子の接触導通性の低下を抑えることのできるコネクタを提供することにある。
【課題を解決するための手段】
【０００５】
前述した目的を達成するために、本発明に係るオス端子の構造は、下記（１）〜（２）を特徴としている。
（１）  メス端子が有する角筒状のタブ受入部に差し込み可能な帯板状のタブが一端部に連設される電線接続部の他端部に、電線の端末部を接続するためのオス端子の構造であって、
前記タブ受入部には、該タブ受入部に前記タブが差し込まれた際に該タブの板面に対向する一対の幅広壁のうちの一方の幅広壁の内面に、該一方の幅広壁の幅方向に間隔をあけて形成された二つの突起と、他方の幅広壁の内面に、差し込まれた前記タブを前記突起に向けて押圧するための板バネと、が設けられ、
前記タブの幅方向の両端部には、前記タブ受入部に前記タブを差し込んだ際に該タブ受入部に弾性接触する二つの接触バネ片が設けられ、前記タブ受入部に前記タブを差し込んだ際に、前記二つの突起が前記二つの接触バネ片の間に位置する、
こと。
（２）  上記（１）の構成のオス端子の構造において、
前記接触バネ片の弾性は、前記板バネの弾性よりも弱い、
こと。
【０００６】
上記（１）の構成のオス端子の構造によれば、オス端子のタブの両側部に、タブをタブ受入部に差し込んだときに、幅広壁の内面の突起が設けられた位置の外側に接触する２つの接触バネ片が設けられているので、撚線の捻転力でタブが傾き、片方の突起からタブが離間した場合にも、その外側において、接触バネ片がタブ受入部の内面に接触することにより、メス端子とオス端子の接触導通性の低下を補うことができる。
上記（２）の構成のオス端子の構造によれば、接触バネ片は、タブを突起から離間する方向に力を及ぼすが、接触バネ片のバネ力は、タブを突起に押圧させる板バネのバネ力よりも弱く設定されているので、タブが両方の突起から離間してしまうことは起こらず、常に最低でもいずれかの突起と２つの接触バネ片を介して、オス端子とメス端子が接触する関係が保たれ、従って接触導通性が落ちることはない。
【発明の効果】
【０００７】
本発明によれば、オス端子とメス端子の接続状態において、タブがメス端子のタブ受入部の中で傾いてタブ受入部の内面に片当たりするようになった場合にも、オス端子とメス端子の接触導通性の低下を抑えることができる。
【０００８】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【０００９】
以下、本発明に係る好適な実施形態を図面に基づいて詳細に説明する。
【００１０】
図１（ａ）は実施形態のコネクタのオス端子の外観斜視図、図１（ｂ）は同オス端子とメス端子の嵌合部の構成を拡大して示す断面図、図２（ａ）および（ｂ）は実施形態のコネクタの外観構成を示す斜視図で、図２（ａ）はメス端子を備える第１コネクタの構成図、図２（ｂ）はオス端子を備える第２コネクタと第１コネクタとを一緒に示す構成図、図３は本発明の実施形態に対する比較例（本発明による改善を施す前の例）における問題点の説明図で、第１コネクタと第２コネクタを接続した際の改善前のオス端子とメス端子の嵌合部の構成を拡大して示す断面図である。
【００１１】
図２に示すように、本実施形態のコネクタは、メス端子６０を備える第１コネクタ５０と、オス端子１３０を備える第２コネクタ２０とからなる。
【００１２】
図２（ａ）に示すように、第１コネクタ５０は、樹脂製のコネクタハウジング５０Ｈの所定部位に複数のメス端子６０を取り付けたものであり、コネクタハウジング５０Ｈには、各メス端子６０に対応した筒状の嵌合部５１と端子受部５２とが設けられている。
【００１３】
メス端子６０は、先端に偏平な角筒状のタブ受入部６１を有し、基端にネジ通し孔６２ａ付きの平板状の電線接続部６２を有するものであり、先端のタブ受入部６１をコネクタハウジング５０Ｈの筒状の嵌合部５１に後方から挿入し、その状態で平板状の電線接続部６２をコネクタハウジング５０Ｈの端子受部５２に載せることで、メス端子６０がコネクタハウジング５０Ｈに備え付けられている。また、端子受部５２にはネジ孔５２ａが設けられており、図示しない電線の端末の端子に通したネジを、メス端子６０の電線接続部６２のネジ通し孔６２ａに通して、更に端子受部５２上のネジ孔５２ａに締め付けることで、メス端子６０に電線を電気的に接続できるようになっている。
【００１４】
また、図２（ｂ）に示すように、第２コネクタ２０は、樹脂製のコネクタハウジング２０Ｈの所定部位に複数のオス端子１３０を取り付けたものであり、コネクタハウジング２０Ｈには、各オス端子１３０に対応した筒状の嵌合部２１が設けられている。この第２コネクタ２０の筒状の嵌合部２１は、第１コネクタ５０の嵌合部５１の外周に嵌合するように構成されており、両コネクタ２０、５０の嵌合部２１、５１を嵌合することによって、オス端子１３０とメス端子６０を電気的に接続できるようになっている。
【００１５】
本実施形態のコネクタに使用するオス端子１３０は、図１（ａ）に示すように、メス端子６０のタブ受入部６１に差し込まれる帯板状のタブ１３１と、タブ１３１に一端部が連設される電線接続部１３２と、を有している。電線接続部１３２は、電線の端末部を、溶接や圧着や加締めなどの接合手段によって、電線１の長手方向延長線上にタブ１３１が位置するように、接続することができるように設けられている。また、符号１３３で示すものは、コネクタハウジング２０Ｈの嵌合部２１内にオス端子１３０を挿入した際に、オス端子１３０を固定するために利用される切欠である。
【００１６】
そして、このオス端子１３０には、タブ１３１の幅方向の両側部に、後で詳述する２つの接触バネ片１３５が設けられている。図３の比較例のオス端子３０においては、タブ３１の両側部に、これらの接触バネ片１３５が設けられていない。ここでは、本実施形態のオス端子１３０と比較例のオス端子３０とを区別するため、符号を別に付けて説明しているが、両者は、前者が接触バネ片１３５を持ち、後者が接触バネ片を持たない、という点を除き、ほぼ同構成のものである。
【００１７】
次にメス端子６０のタブ受入部６１について述べる。このタブ受入部６０は、図１および図３に示すように、１枚の平板の幅方向の両端を上側に曲げ、更に内側に曲げて、先端同士を突き合わせることにより、偏平な角筒状に形成されている。従って、このタブ受入部６１は、タブ１３１が差し込まれた際に該タブ１３１の上下板面に対向する上下一対の幅広壁６１ｃ、６１ａと、タブ１３１が差し込まれた際に該タブ１３１の幅方向両側縁に対向する左右一対の側壁６１ｂとを有している。
【００１８】
また、タブ受入部６１の一対の幅広壁６１ｃ、６１ａのうちの、上側の幅広壁６１ｃの内面には、該幅広壁６１ｃの幅方向に間隔をあけて、差し込まれたタブ１３１の上側の板面に圧接する２つの突起６６が設けられている。また、下側の幅広壁６１ａの内面側には、差し込まれたタブ１３１を突起６６に向けて押圧する板バネ６４が配設されている。
【００１９】
また、上側の幅広壁６１ｃの幅方向の中央には、両側をそれぞれ前記突起６６を持つ分割された壁とする切れ目６１ｄが設けられている。この切れ目６１ｄは、角筒状のタブ受入部６０を平板を曲げて形成した際の先端同士の突き合わせ部であり、この突き合わせ部は互いに接合されてはいない。
【００２０】
このようにタブ受入部６１の内面に突起６６と板バネ６４が設けられていることにより、タブ１３１が正しく差し込まれたときには、２つの突起６６にタブ１３１の上側板面が強く圧接する。これにより、高い接触導電性を保つことができる。
【００２１】
ところで、第２コネクタ２０のオス端子１３０の電線接続部１３２に、複数の導線を撚り合わせた芯線を持つ電線１を接続した場合、特に大電流を流すような太物の電線１を接続した場合には、芯線の戻り癖により、タブ１３１に捻転力が作用することがある。例えば、電線１を端末部の近くで屈曲させた場合など、芯線に撚りを戻す方向の強い捻転力が発生することがある。
【００２２】
そうすると、図１（ｂ）に示す本実施形態の場合も図３に示す比較例の場合も、その捻転力がオス端子１３０、３０のタブ１３１、３１に及ぶため、タブ１３１、３１がメス端子６０のタブ受入部６１の中で傾いて、図３中Ｐで示す箇所のように、片方の突起６６からタブ１３１、３１が離れてしまうことがある。このようにタブがタブ受入部の内面に片当たりするようになると、図３に示す比較例の場合、接触箇所が減ってしまうので、オス端子３０とメス端子６０の接触導通性が落ちることになる。
【００２３】
そこで、図１に示すように、本実施形態のコネクタに使用するオス端子１３０では、タブ１３１の両側部に、タブ受入部６１にタブ１３１を差し込んだときに、上側の幅広壁６１ｃの内面の、突起６６が設けられた位置の両側に弾性接触する２つの接触バネ片１３５が設けられている。この場合の接触バネ片１３５は、タブ１３１の前端に結合された固定端１３５ａから自由端１３５ｃがタブ１３１の両側縁に沿って平行に後側に延びた細幅帯板よりなる片持バネとして形成されており、固定端１３５ａと自由端１３５ｃとの間に、タブ１３１の板面から離れる方向に凸に湾曲したアーチ型の接触部１３５ｂが設けられている。このとき、接触バネ片１３５のバネ力は、板バネ６４のバネ力よりも弱いことが好ましい。
【００２４】
このように、オス端子１３０のタブ１３１の両側部に２つの接触バネ片１３５を設けた場合は、電線１の捻転力でタブ１３１が傾き、片方の突起６６からタブ１３１が離間した場合にも、その外側において、接触バネ片１３５がタブ受入部６１の内面に接触することにより、メス端子６０とオス端子１３０の接触導通性の低下を補うことができる。特に、片持バネとして構成された接触バネ片１３５のアーチ型の接触部１３５ｂがタブ受入部６１の内面に接触するので、軟らかいバネ力により、常に安定した接触状態を保つことができ、オス端子１３０とメス端子６０の接触導通性を良好に保つことができる。
【００２５】
この場合、接触バネ片１３５は、タブ１３１を突起６６から離間する方向に力を及ぼすが、接触バネ片１３５のバネ力は、タブ１３１を突起６６に押圧させる板バネ６４のバネ力よりも弱く設定されているので、タブ１３１が両方の突起６６から離間してしまうことは起こらず、常に最低でもいずれかの突起６６と２つの接触バネ片１３５を介して、オス端子１３０とメス端子６０が接触する関係が保たれ、従って接触導通性が落ちることはない。
【００２６】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【図面の簡単な説明】
【００２７】
【図１】（ａ）は本発明実施形態のコネクタのオス端子の外観斜視図、（ｂ）は同オス端子とメス端子の嵌合部の構成を拡大して示す断面図である。
【図２】同実施形態のコネクタの外観構成を示す斜視図で、（ａ）はメス端子を備える第１コネクタの構成図、（ｂ）はオス端子を備える第２コネクタと第１コネクタとを一緒に示す構成図である。
【図３】本発明の実施形態に対する比較例（本発明による改善を施す前の例）における問題点の説明図で、第１コネクタと第２コネクタを接続した際の改善前のオス端子とメス端子の嵌合部の構成を拡大して示す断面図である。
【符号の説明】
【００２８】
６０  メス端子
６１  タブ受入部
６１ａ，６１ｃ  幅広壁
６４  板バネ
６６  突起
１３０  オス端子
１３１  タブ
１３２  電線接続部
１３５  接触バネ片
１３５ａ  固定端
１３５ｂ  接触部
１３５ｃ  自由端
【図１】
2010140874.tif 000003
【図２】
2010140874.tif 000004
【図３】
2010140874.tif 000005